(57)【要約】【課題】この発明は、全周波数に対し、高い遮音性を有する防音パネル、パーティション及び防音ボックスを得ることを目的としたものである。【解決手段】この発明は、二枚のフェルト板でゴムシートを挟着し、前記二枚のフェルト板の外側へゴムシート、アスファルトシート及び化粧板を順次夫々層着して一体化したことを特徴とする防音パネルにより、目的を達成した。【選択図】図１
2008121343.tif 000002
【特許請求の範囲】
【請求項１】
化粧板の下部へ、アスファルトシート、ゴムシート及びフェルト板を順次層着して一体化したことを特徴とする防音パネル。
【請求項２】
二枚のフェルト板でゴムシートを挟着し、前記二枚のフェルト板の外側へゴムシート、アスファルトシート及び化粧板を順次夫々層着して一体化したことを特徴とする防音パネル。
【請求項３】
化粧板は、鋼板又はプラスターボードとしたことを特徴とする請求項１又は２記載の防音パネル。
【請求項４】
フェルト板は、軟質フェルト板と、該軟質フェルト板より薄い硬質フェルト板の層着としたことを特徴とする請求項１又は２記載の防音パネル。
【請求項５】
請求項１又は２記載の防音パネルの上部に、天井の下面と連結する笠木連結手段を取り付け、前記防音パネルの下部と、床の上面とを連結する調整可能なレール取付手段を取り付けると共に、前記防音パネルの左右両側は、側部連結手段で夫々連結したことを特徴とするパーティション。
【請求項６】
笠木連結手段は、天井下面にゴムシートを介して固定する断面コ状のアルミ笠木とし、該アルミ笠木を防音パネルの上部に嵌装したことを特徴とする請求項５記載のパーティション。
【請求項７】
レール取付手段は、床レール上へ、巾木調節枠を嵌装し、巾木調節枠の上部を防音パネルの下部へ嵌装固定したことを特徴とする請求項５記載のパーティション。
【請求項８】
側部連結手段は、一方の防音パネルの側壁に固定した連結枠と、他方の防音パネルの側壁に固定した連結枠とを、ゴムシートを介装当接して固定したことを特徴とする請求項５記載のパーティション。
【請求項９】
請求項１又は２記載の防音パネルにより四周壁パネルを構成し、この四周壁パネルに防音床パネルと防音天井パネルとを取り付け、前記四周壁パネルの一部に防音ドアパネルを介装したことを特徴とする防音ボックス。
【請求項１０】
防音床パネルは、床板に合板と、フェルト板と構造用合板とを一体的に層着したことを特徴とする請求項９記載の防音ボックス。
【請求項１１】
防音天井パネルは、吸音板と、合板よりなる上部天井の下部に吸音板と合板よりなる下部天井を、空間を空けて吊り設置したことを特徴とする請求項９記載の防音ボックス。
【請求項１２】
防音ドアパネルは、化粧板の間に、アスファルトシート、制振材、フェルト吸音材及びアスファルトシートを順次層着したことを特徴とする請求項９記載の防音ボックス。
【発明の詳細な説明】
【技術分野】
【０００１】
この発明は、室内で発生する騒音が外部へ伝播するのを防止する為に、発生音の乱反射、吸収などにより、音波の伝播を阻止することを目的とした防音パネル、パーティション及び防音ボックスに関する。
【背景技術】
【０００２】
従来板状遮音体、各種ゴム、ポリマー、ゴムアスファルト、フェルトを単独又は併用したシート又は板が知られており、低周波数から、高周波数まで遮音できるとされている。
【０００３】
また、ゴムブロック、ベニヤ板、クッション材、フェルト、その他の吸音材を積層した防音パネルが知られており、有効な遮音がされることになっている。
【特許文献１】特許第３５８３６４４号
【特許文献２】特許第３０５２０５２号
【発明の開示】
【発明が解決しようとする課題】
【０００４】
従来防音材としては、複数の振動体とこれを支える板状遮音体を備えた防音材であって、前記遮音体として各種ゴム、ポリマー、アスファルトの単独又は併用シートや、フィルム、不繊布、フェルトを単独又は併用したものが知られている（特許文献１）。
【０００５】
またフェルト、ベニヤ板、ゴムブロック、クッション材、ターフェルト吸音材と、通気層と下地合板から構成された防音層用パネルの提案がある（特許文献２）。
【０００６】
前記特許文献１の発明は、振動体と、遮音体とを併設した点に新規な特性が認められ、これにより低周波の騒音の伝播を著しく改善すると共に、低周波から高周波まで広範囲に亘って防音できるとされている。然して５００Ｈｚ付近で最高３０ｄＢ程度、４０００Ｈｚ付近で最高４４ｄＢ程度の防音効果があるとされている。
【０００７】
次に特許文献２の発明においては、通気層により音の拡散を図り、吸音材で吸音し、ターフェルト（紙にタールを塗布したシート）により気圧を弱め、クッション材により遮音を図り、かつ振動音と衝撃音を弱める効果があるとされているが、どの周波数で、どの位の遮音能力があるかという具体的遮音効果は記載されていない。
【０００８】
前記のように各種吸音、遮音材を積層し、又はこれに防振材を積層することにより防音性能を高めている。然し乍ら前記各発明において、低音域では３０ｄＢ程度、高音域においても４０ｄＢ程度の遮音効果が認められるにすぎない問題点があった。
【課題を解決するための手段】
【０００９】
この発明は、各種材料を積層するに当たり、各材料の材質に応じて厚薄を定め、複数種の材料を積層させて一体化した防音パネルとすることにより、低周波から高周波に到る騒音に対応し、５００Ｈｚで５０ｄＢ以上、１２５０Ｈｚで７０ｄＢ以上、４０００Ｈｚで８０ｄＢの遮音効果をあげることに成功したのである。
【００１０】
この発明は、前記防音パネルをパーティション家屋又は防音ボックスに利用することにより、従来達成し得なかった防音効果を上げることに成功したのである。
【００１１】
即ち防音パネルの発明は、化粧板の下部へ、アスファルトシート、ゴムシート及びフェルト板を順次層着して一体化したことを特徴とする防音パネルであり、二枚のフェルト板でゴムシートを挟着し、前記二枚のフェルト板の外側へゴムシート、アスファルトシート及び化粧板を順次夫々層着して一体化したことを特徴とする防音パネルであり、化粧板は、鋼板又はプラスターボードとしたものであり、フェルト板は、軟質フェルト板と、該軟質フェルト板より薄い硬質フェルト板の層着としたものである。
【００１２】
またパーティションの発明は、請求項１又は２記載の防音パネルの上部に、天井の下面と連結する笠木連結手段を取り付け、前記防音パネルの下部と、床の上面とを連結する調整可能なレール取付手段を取り付けると共に、前記防音パネルの左右両側は、側部連結手段で夫々連結したことを特徴とするパーティションであり、笠木連結手段は、天井下面にゴムシートを介して固定する断面コ状のアルミ笠木とし、該アルミ笠木を防音パネルの上部に嵌装したものであり、レール取付手段は、床レール上へ、巾木調節枠を嵌装し、巾木調節枠の上部を防音パネルの下部へ嵌装固定したものであり、側部連結手段は、一方の防音パネルの側壁に固定した連結枠と、他方の防音パネルの側壁に固定した連結枠とを、ゴムシートを介装当接して固定したものである。
【００１３】
更に防音ボックスの発明は、請求項１又は２記載の防音パネルにより四周壁パネルを構成し、この四周壁パネルに防音床パネルと防音天井パネルとを取り付け、前記四周壁パネルの一部に防音ドアパネルを介装したことを特徴とする防音ボックスであり、防音床パネルは、床板に合板と、フェルト板と構造用合板とを一体的に層着したものであり、防音天井パネルは、吸音板と、合板よりなる上部天井の下部に吸音板と合板よりなる下部天井を、空間を空けて吊り設置したものであり、防音ドアパネルは、化粧板の間に、アスファルトシート、制振材、フェルト吸音材及びアスファルトシートを順次層着したものである。
【００１４】
前記発明において、各材料の厚さは鋼板は０．３ｍｍ〜１．０ｍｍ、アスファルトシートは２．０ｍｍ〜４．０ｍｍ、無加硫ブチルゴムシートは１．０ｍｍ〜４．０ｍｍ、フェルト板は１０ｍｍ〜２０ｍｍであるが、各材料共に、その厚さは前記に基づき適宜定め、全体の厚さを３５ｍｍ〜５０ｍｍにする。また鋼板に代えプラスターボードパネルを用いる場合に、その厚さは、９ｍｍ〜１５ｍｍとする。前記フェルトの繊維の太さは、例えば０．０５μｍ〜１．０μｍである。
【００１５】
前記各材料の厚さ及び全体の厚さは、防音効果及び使途により適宜定める。従来使用されている紙ハニカムパネルは、厚さ４０ｍｍの紙ハニカムの上下に厚さ３．０ｍｍのポリ合板を積層したもので、例えば４０００Ｈｚで最高２０ｄＢ程度の遮音効果があるので、これに比しこの発明の遮音効果は抜群である。
【００１６】
前記各材料の夫々の厚さは、一定の遮音効果が認められる最低厚さと、厚くしても遮音効果が変わらない範囲を示すもので、通常中間厚さを用いる。例えば、ブチルゴムシート１．０ｍｍ〜４．０ｍｍは、２．０ｍｍ〜２．５ｍｍを用いる。
【００１７】
前記フェルト板については、繊維の太さを変えたり、軟質又は硬質フェルトを混用する場合があるが（例えば１ｍ３  ３０ｋｇ〜５０ｋｇ）、前記における軟質と硬質の程度、使用繊維の直径などの具体的数値は今後変更もあり得る。前記フェルト板は、例えばポリエチレン、ポリプロピレン、ポリビニールなどの合成樹脂繊維によるフェルト又はケナフフェルトなどの植物繊維を加圧成形（板状）して用いる。
【００１８】
この発明におけるパーティション及び防音ボックスについては防音パネルの連結手段の良否が直ちに防音効果に影響を与えるので、防音連結について特に留意した。また防音ボックスについては、その天井材と、床材を防音パネルとしているが、防音パネルの遮音性能、各材料の厚薄、積層状態の程度によって、家屋又はボックスの性能を左右するので、慎重に吟味する必要がある。
【００１９】
前記アスファルトシートは、クラフト紙などのベースにアスファルトを塗布して作るが、特定するものではない。
【発明の効果】
【００２０】
この発明によれば、高低の全周波数に対し、優れた遮音性能を有し、特に５００Ｈｚ付近においては、従来の遮音材に比し、２倍近くの遮音効果がある。
【００２１】
この発明の防音パネルは、ブチルゴムなどの未加硫ゴムシートを中央部と表面部に用い、その上下にフェルト板又はアスファルトシートを積層するので、作業性が良く、良質の防音パネルを多量生産することに適している。
【００２２】
この発明の各材料は、板状又はシート状であるから、容易に積層させることができるので、厚さを高精度で製作できると共に、夫々の遮音性能が安定し、良質かつ均質の防音パネル、パーティション又は防音ボックスを得ることができる効果がある。
【発明を実施するための最良の形態】
【００２３】
この発明は、台上の鋼板の上へアスファルトシートを層着し、その上へ、ブチルゴムシート、ポリエチレンフェルト板、ブチルゴムシート、ポリエチレンフェルト板、ブチルゴムシート、アスファルトシート及び鋼板を順次積層して一体化し、この発明の防音パネルを得た。前記ポリエチレンフェルト板は、軟質フェルト板と、硬質フェルト板を積層して用いる。
【００２４】
次にこの防音パネルを連結し、上下に必要な連結部材を固定してパーティションを得た。
【００２５】
また前記防音パネルを用いて壁、天井パネル及び床パネルを形成し、これを夫々連結してこの発明の防音ボックスを得た。
【実施例１】
【００２６】
この発明の防音パネルの実施例を図１、２、３について説明すると、鋼板（０．６ｍｍ）１、アスファルトシート（３．０ｍｍ）２、未加硫のブチルゴムシート（２．０ｍｍ）３、ポリエチレンフェルト板（１５．５ｍｍ）４、未加硫のブチルゴムシート（２．０ｍｍ）３、ポリエチレンフェルト板（１５．５ｍｍ）４、未加硫のブチルゴムシート（２．０ｍｍ）３、アスファルトシート（３．０ｍｍ）２及び鋼板（０．６ｍｍ）１を順次積層し、一体化して、厚さ４４．２ｍｍの鋼板パネル５を得た。
【００２７】
次に他の実施例は、鋼板１、アスファルトシート２、未加硫のブチルゴムシート３、ポリエチレンフェルト板（２５．５ｍｍ）４、未加硫のブチルゴムシート３、ポリエチレンフェルト板（２５．５ｍｍ）４、未加硫のブチルゴムシート３、アスファルトシート２及び鋼板１を順次積層して厚さ６４．２ｍｍの鋼板パネル５ａを得た。
【００２８】
またプラスターボード（１２．５ｍｍ）６、アスファルトシート（３．０ｍｍ）２、未加硫のブチルゴムシート（２．０ｍｍ）３、ポリエチレンフェルト板（１５．５ｍｍ）４、未加硫のブチルゴムシート（２．０ｍｍ）３、ポリエチレンフェルト板（１５．５ｍｍ）４、未加硫のブチルゴムシート（２．０ｍｍ）３、アスファルトシート（３．０ｍｍ）２及びプラスターボード（１２．５ｍｍ）６を順次積層してプラスターボードパネル（６８ｍｍ）１０を得た。
【００２９】
また他の実施例は、プラスターボード６、アスファルトシート２、未加硫のブチルゴムシート３、ポリエチレンフェルト板（２５．５ｍｍ）４、未加硫のブチルゴムシート３、ポリエチレンフェルト板（２５．５ｍｍ）４、未加硫のブチルゴムシート３、アスファルトシート２及びプラスターボード６を順次積層してプラスターボードパネル（８８ｍｍ）１０ａを得た。
【００３０】
前記ポリエチレンフェルト板４については、軟質フェルト板と硬質フェルト板をほぼ３対１の厚さ割合で積層した所、防音効率の向上が認められた。
【００３１】
また参考例は、ポリエチレン合板（３．０ｍｍ）７、紙ハニカム（３４ｍｍ）８、ポリエチレン合板（３．０ｍｍ）７を順次積層して紙ハニカムパネル（４０ｍｍ）９とした。
【００３２】
前記実施例１及び参考例について、音の透過損失を測定した所表１を得た（図１０）。
【表１】
2008121343.tif 000003
【００３３】
前記表１により明らかなように５００Ｈｚにおける透過損失は５５ｄＢ以上であり、文献１に見られないような防音効果を表すものと認められた。
【００３４】
前記実施例の試験値（表１）は、現有測定器で測定したものである。前記現有測定器は、透過損失５０ｄＢまで精確に測定できるように構成されている。従って、５０ｄＢ以上は、測定値にバラツキを生じることが判明した。そこで前記実施例の各パネルについて、遮音性能シミュレーションを行った所、１２５Ｈｚ〜２０００Ｈｚについて、２６．４ｄＢ〜９８．４ｄＢのような高透過損失を表す表２の結果を得た（図１１）。
【表２】
2008121343.tif 000004
【００３５】
前記表２によれば、例えば５００Ｈｚについて、６４．３ｄＢ〜７７．８ｄＢの透過損失があることが明らかとなった。前記結果はシミュレーションであるけれども、１００ｄＢまで測定可能な測定器によれば、前記表２に示したシミュレーションの数値となることが判明した。
【００３６】
次に、前記鋼板パネル５の鋼板を除去した芯材５ｂを、壁又は床に設置した例を図６（ａ）に示す。図中６０は床板、２はアスファルトシート、３はブチルゴムシート、４７、５９は空隙、６１は構造用合板、６２は化粧床板、６３は化粧壁板、６４は合板である。
【００３７】
次に他の実施例を図５（ｂ）について説明すると、仕切壁４９（例えばコンクリート）の両側に柱４６、４６を設置し、柱４６、４６の間へ、仕切壁（２０ｍｍ）４９側からポリエチレンフェルト板（１５．５ｍｍ）４、ブチルゴムシート（２．０ｍｍ）３、アスファルトシート（３．０ｍｍ）２及び化粧板（５ｍｍ）６５を順次層着してなる防音パネル６６を装着する。この場合の音の透過損失は実測していないけれども、前記各パネル１０、１０ａなどに比し、遜色ありとは認められない。
【００３８】
前記実施例のように仕切壁４９の両側に、前記防音パネル６６を装着すれば、５００Ｈｚにおいて５０ｄＢ以上の透過損失があるものと推定できる。前記化粧板６５は部屋の壁面に通常使用する内装建材を採用することができる。
【実施例２】
【００３９】
前記鋼板パネル５、５ａ又はプラスターボードパネル１０、１０ａの側部を連結手段１４で必要数宛連結し、各パネルの上部に天井下面との間を塞ぐ笠木手段１１と、床上面との間を塞ぐレール手段１２とを設置すれば、この発明のパーティション１５ができる（図４）。
【００４０】
前記笠木手段１１は、天井板１３の下面に、ブチルゴムシート２３を介してアルミ笠木１６を固定し、アルミ笠木１６の下面凹入部１６ａを前記パネル５、１０又は５ａ、１０ａの上面へ嵌装固定して構成する（図４（ａ））。
【００４１】
次にレール手段１２は、床面１７の上面へブチルゴムシート２３を介して上向きコ状のレール杆１８をビス３２で固定し、前記レール杆１８へ、ブチルゴムシート２３を介して巾木調整杆１９を嵌装し、巾木調整杆１９の上面はパネルの下面へ嵌装し、前記巾木調整杆１９の下面は前記レール杆１８の上部に嵌装する。図中２０はボルト２２で前記パネルの下面に固定した調整枠、３２はレール杆１８の止ピンである（図４、５（ａ））。
【００４２】
また図６（ｂ）は、アルミ笠木１６内へポリエチレンフェルトブロック４ａを収容し、その厚さによって、アルミ笠木の位置を調整する。
【００４３】
前記連結手段１４は、図９（ｃ）のように平面方形であって、中央部の段部で当接する角筒状の当接杆２１、２１の段部は、ブチルゴムシート３１を介して当接し、方形の左右辺２１ａ、２１ａは左右パネルに当接固定し、方形の前後辺２１ｂは、左右パネルの間を閉塞している。従って方形の内部は、段部で仕切られた中空であって、十分遮音能力を有している。前記パネルの最外端の方形左辺は、建物の壁４９に当接固定してある。前記当接杆２１の中空部２１ｃには、フェルト又は繊維２９を充填して防音効果を向上させる（図９（ｃ））。
【００４４】
前記パーティション１５の上部と天井との間は、笠木手段１１によって遮音し、床面とパーティションとの間の下部は、レール手段１２によって遮音し、縦連結部は、連結手段によって遮音されている。
【００４５】
次にドアパネル２６（パーティションに付属するドアパネル）について説明すると（図４（ｂ））、鋼板１の内側にアスファルトシート２ａと、ポリエチレンフェルト板４ａと、アスファルトシート２ａ及び鋼板１を順次一体的に積層してドアパネル２６を構成する。前記ドアパネル２６の上下端部に縁材５０、５１を嵌着し、前記縁材５０、５１の内端に突条５０ａ、５１ａを設けて、くつずり５２と、当筒５３の中空の弾性遮音筒５２ａ、５３ａに当接して気密性を確保してある。
【００４６】
前記くつずり５２は、床板５４に固定し、当筒５３はドア枠５５の下面に固定してあり、前記ドア枠５５は、天井１３へブチルゴムシート２３を介して固定したアルミ笠木１６に、前記ドア枠５５を嵌挿固定してある。図中５６は、アルミ笠木１６の止ボルト、５７はドア枠５５の外側へ層着したゴムシート、５８はドアハンドルである。前記ドアパネル２６は、各種遮音材を積層しているので、パーティション１５と同様に騒音を遮断することができる。
【００４７】
前記実施例において、調整枠２０を回転すると、ボルト２２に沿って矢示４５のように昇降するので、調整枠２０の下辺によって、レール杆１８の昇降位置が決められる。従ってパーティション１５の下縁と、床との間隙を確実に塞ぐことができる。
【００４８】
従来パネルによる遮音効果は、天井とパネル及び床とパネルの遮音効果により左右されていた。従ってパネルの遮音効果が優れていても、天井とパネル又は床とパネルの遮音が不十分の場合には、その遮音性能は、前記各部の最低の遮音効果により左右される。
【００４９】
この実施例によれば、笠木手段１１及びレール手段１２により確実に遮音できるので、全体（パーティション）の遮音効果も著しく向上させることができる。
【実施例３】
【００５０】
この発明の他の実施例を図７、８、９について説明すると、前後、左右に壁パネル２５ａ、２５ｂ、２５ｃ、２５ｄ、２５ｅ、２５ｆとドアパネル２６によって四周壁を構成し、その上部に天井パネル２７、屋根パネル２４、下部に床ユニット２８を夫々連結材４２、３３、３５、３６、３７、３８、３９、４０、４１、４２、４３で取り付けて、防音ボックス３０を構成した。図中４８、４８はキャスターである（図７、８）。
【００５１】
前記壁パネル２５（全体をいう）は、ブチルゴムシート３の両側にポリエチレンフェルト板４、ブチルゴムシート３、アスファルトシート２、鋼板１を順次重ね合わせて一体化した鋼板パネル５により構成している。
【００５２】
またドアパネル２６は、鋼板１、１の間にアスファルトマット２ａ、グリーンフェルト板４ａ及びアスファルトマット２ａを層着したものである（図９（ａ））。次に屋根パネル２４は、鋼板、ブチルゴムマット、合板の積層材とよりなり、また天井パネル２７はアルミパネル６７、ロックウール板６８、パンチングメタル６９の積層材により構成されている。
【００５３】
また床ユニット２８は、硬質オレフィンシートと、ユニウッドと、合成ゴムマットとよりなる積層材３４と、床パネル３９により構成されている。該床パネル３９は、合板と、鋼管と、ポリエチレンフェルト板４と、鋼板の積層材からなりたっている。
【００５４】
前記連結材は、壁パネルと、天井パネルの連結材４０、４０と、壁パネルと床パネルの連結材４１、４１と、各壁パネルの連結材４２と、ドアパネル２６の連結材４３からなっている。
【００５５】
前記実施例によれば、壁パネル２５、ドアパネル２６、天井パネル２７及び床ユニット２８は、何れも実施例１に示した防音パネル５、５ａを基本的材料としているので、全周波域に対して遮音効果を期待することができる。
【００５６】
従って前記実施例の防音ボックス５、５ａは、室内は勿論、野外に設置しても、別世界を展開し、内部で発生する騒音は悉く半減以下となり、発生した騒音が外界に波及するおそれはない。
【００５７】
前記実施例において、各パネルの連結材については、特に留意する必要がある。
【００５８】
即ち壁パネルなどにおいて、高度の遮音効果を発揮しても、前記連結材の遮音性能が低いと、該部の遮音性能が全体の遮音性能となるからである。
【図面の簡単な説明】
【００５９】
【図１】（ａ）この発明の鋼板パネルの一部を省略した拡大側面図、（ｂ）同じく一部を省略したプラスターボードパネルの拡大側面図。
【図２】（ａ）同じく鋼板パネルの一部を省略した拡大正面図、（ｂ）同じく参考例の一部断面図。
【図３】同じくプラスターボードパネルの一部を省略した拡大正面図。
【図４】（ａ）同じくパーティションの実施例の一部を省略した断面図、（ｂ）同じくドアパネルの一部を省略した断面図。
【図５】（ａ）同じくレール手段の一部拡大断面図、（ｂ）同じく壁の両側に防音パネルを設置した実施例の一部断面図。
【図６】（ａ）同じく壁パネル連結部分と床パネルとの一部縦断正面図、（ｂ）同じくパーティションの下端部の一部拡大断面図。
【図７】同じく防音ボックスの一部を省略した縦断面図。
【図８】同じく防音ボックスの横断面図。
【図９】（ａ）同じく壁パネルの連結部の一部拡大断面図、（ｂ）同じく壁パネルの隅部の一部拡大断面図、（ｃ）同じく連結手段の拡大断面図、（ｄ）同じくドアパネルの連結部を示す一部拡大断面図。
【図１０】同じく各パネルの透過損失−周波数のグラフ。
【図１１】同じく遮音性能シミュレーションの透過損失−周波数のグラフ。
【符号の説明】
【００６０】
１  鋼板
２  アスファルトシート
３  ブチルゴムシート
４、４ａ  ポリエチレンフェルト板
５  鋼板パネル
６、１０、１０ａ  プラスターボードパネル
１１  笠木手段
１２  レール手段
１３  天井板
１４  連結手段
１５  パーティション
１６  アルミ笠木
１７  床面
１８  レール杆
１９  巾木調整杆
２０  調整枠
２１  当接杆
２２  ボルト
２３  ブチルゴムマット
２４  屋根パネル
２５ａ、２５ｂ、２５ｃ  壁パネル
２６  ドアパネル
２７  天井パネル
２８  床ユニット
【図１】
2008121343.tif 000005
【図２】
2008121343.tif 000006
【図３】
2008121343.tif 000007
【図４】
2008121343.tif 000008
【図５】
2008121343.tif 000009
【図６】
2008121343.tif 000010
【図７】
2008121343.tif 000011
【図８】
2008121343.tif 000012
【図９】
2008121343.tif 000013
【図１０】
2008121343.tif 000014
【図１１】
2008121343.tif 000015